(57)【要約】【課題】  カメラを大型化することなくディスプレイを大型化する。【解決手段】  デジタルカメラ１０のディスプレイ２０をスライドするとパッド２４が表れる。したがって、カメラ本体１２の背面部のファインダー１６、操作ボタン１８、１９等以外のほぼ全域を占める大型のディスプレイ２０が備えられていても、ディスプレイ２０がスライドし指掛部２２が表れることで、ディスプレイ２０に指がかかることなく、デジタルカメラ１０を持つことができる。【選択図】        図１
2005134502.tif 000002
【特許請求の範囲】
【請求項１】
カメラ本体と、
前記カメラ本体に備えられ、該カメラ本体に沿ってスライド可能なディスプレイと、
前記カメラ本体に形成され、前記ディスプレイがスライドすると露出する指掛部と、
を備えることを特徴とするカメラ。
【請求項２】
前記指掛部には、凹部が形成されていることを特徴とする請求項１に記載のカメラ。
【請求項３】
前記ディスプレイの前記指掛部側には、前記ディスプレイがスライドする力を付与する指止部材が取り付けられていることを特徴とする請求項１又は請求項２に記載のカメラ。
【請求項４】
前記ディスプレイがスライドすることで電源がオンオフすることを特徴とする請求項１から請求項３のいずれかに記載のカメラ。
【発明の詳細な説明】
【技術分野】
【０００１】
本発明は、ディスプレイを備えるカメラに関する。
【背景技術】
【０００２】
従来、図６に示すように、デジタルカメラ１００には画像を表示するディスプレイ１１０が設けられている。そして、ディスプレイ１１０を見ながら、デジタルカメラ１００を手で持って被写体を撮影する際、親指Ｔでカメラ背面の指掛部１２０を把持して持つ。
【０００３】
さて、ディスプレイは大きい方が見やすい。しかし、単純にディスプレイを大型化すると、図７に示すデジタルカメラ２００のように、指掛部（図６参照）を設けることができなくなり、親指Ｔがディスプレイ２２０に掛ってしまい、かえって見にくくなる。また、親指Ｔがディスプレイに掛かるとディスプレイ２２０も傷める。
【０００４】
或いは、従来のようにディスプレイの横に指掛部を別途設ける構成（図６参照）とすると、指掛部のスペース分、デジタルカメラが大きくなってしまう。
【０００５】
そこで、グリップ全体がスライドするとカメラ本体内部のディスプレイが表れる構成とし、ファインダーの保護と小型化とを実現したデジタルカメラが提案されている。（例えば、特許文献１参照）。
【特許文献１】特開２００３−１５８６４８号公報
【発明の開示】
【発明が解決しようとする課題】
【０００６】
しかしながら、特開２００３−１５８６４８号公報に記載の方法では、ディスプレイをカメラ本体に内蔵する為、他の部品や機構、例えば、レンズ機構と干渉しないようにする必要がある。このため、ディスプレイの大型化に限界がある。また、グリップ全体がスライドする構成は複雑な機構が必要であり、複雑な機構のため信頼性も低下する。
【０００７】
本発明は、上記問題を解決すべく成されたもので、カメラを大型化することなくディスプレイを大型化することを目的とする。
【課題を解決するための手段】
【０００８】
請求項１に記載のカメラは、カメラ本体と、前記カメラ本体に備えられ、該カメラ本体に沿ってスライド可能なディスプレイと、前記カメラ本体に形成され、前記ディスプレイがスライドすると露出する指掛部と、を備えることを特徴としている。
【０００９】
請求項１に記載のカメラは、カメラ本体に沿ってディスプレイがスライドすると露出する指掛部が備えられている。例えば、カメラ本体のほぼ全域を占めるような大型のディスプレイでも、ディスプレイをスライドさせて指掛部を露出させることができるので、手で持つ際に指がディスプレイにかかるることなく、カメラを持つことができる。
【００１０】
すなわち、ディスプレイを大型化してもカメラ本体を大型化することなく指掛部を設けることがきる。
【００１１】
請求項２に記載のカメラは、請求項１に記載の構成において、前記指掛部には、凹部が形成されていることを特徴としている。
【００１２】
請求項２に記載のカメラは、指掛部に凹部が形成されているので、指が凹部に係り把持しやすい。したがって、カメラを手で持って撮影したり、ディスプレイを見る際に、カメラをブレなく安定して持つことができる。
【００１３】
請求項３に記載のカメラは、請求項１又は請求項２に記載の構成において、前記ディスプレイの前記指掛部側には、前記ディスプレイがスライドする力を付与する指止部材が取り付けられていることを特徴としている。
【００１４】
請求項３に記載のカメラは、ディスプレイの指掛部側に、ディスプレイがスライドする力を付与する指止部材が取り付けられているので、この指止部材を押して容易にディスプレイをスライドできる。
【００１５】
また、ディスプレイの指掛部側に指止部材が取付けられているので、ディスプレイがスライドして指掛部が露出すると、指掛部の横（ディスプレイ側）に指止部材が位置する。
【００１６】
したがって、指掛部を指で把持する際、指止部材で指が固定されるので把持しやすい。このため、カメラを手で持って持って撮影したり、ディスプレイを見る際、カメラをブレなく安定して持つことができる。
【００１７】
請求項４に記載のカメラは、請求項１から請求項３のいずれか記載の構成において前記ディスプレイがスライドすることで電源がオンオフすることを特徴としている。
【００１８】
請求項４に記載のカメラは、ディスプレイがスライドすることで電源がオンオフするので、別途、電源スイッチをカメラ本体に設ける必要がない。したがって、カメラを小型化できる。また、電源オフし忘れることがなくなる。
【発明の効果】
【００１９】
以上説明したように本発明によれば、カメラを大型化することなくディスプレイを大型化できる。
【発明を実施するための最良の形態】
【００２０】
以下、本発明に係るカメラの一の実施形態を図面に基づき説明する。なお、本発明のカメラは、ディスプレイを備えるカメラ全般（例えば、デジタルビデオカメラ等）について適用可能であるが、本実施形態では、主に静止画を撮影するデジタルカメラに適用した例について説明する。
【００２１】
図４には、本実施形態に係るデジタルカメラ１０の概略構成が示されている。
【００２２】
このデジタルカメラ１０は、動作全般の主制御部であるＣＰＵ３２０、撮像系制御部３２２、画像圧縮／伸張部３２４、ディスプレイ２０（図２参照）の表示制御を行うディスプレイ制御部３２６、内蔵メモリ３２８、通信インターフェース（通信Ｉ／Ｆ）３３０、メディアインターフェース（メディアＩ／Ｆ）３３２、操作部３３４、及びレリーズスイッチ１４（図２参照）を主要構成としており、各々がバス３３６を介して相互に各種データの授受可能に接続されている。
【００２３】
撮像系制御部３２２は、被写体Ａを撮影するための撮像系（レンズＬ等）を制御して、被写体Ａを静止画像（或いは動画）として所望に選択して撮影し、撮影画像を被写体Ａに対応するデジタル画像データとして取得するためのものである。
【００２４】
画像圧縮／伸張部３２４は、前記デジタル画像データに対する所定の画像圧縮形式による圧縮処理や、圧縮されたデジタル画像データを圧縮形式に応じて伸張するためのものである。
【００２５】
ディスプレイ制御部３２６にはディスプレイ２０が接続されており、ディスプレイ２０における各種情報の表示制御がなされる。
【００２６】
内蔵メモリ３２８は、主として撮影によって得られたデジタル画像データを一時的に記憶するＲＡＭ、及び各種制御プログラムや所定のパラメータ等を予め記憶するＲＯＭを含んで構成されている。なお、前記ＲＡＭは、前記画像圧縮／伸張部３２４による圧縮・伸張処理時のワークエリアとしても用いられる。
【００２７】
メディアＩ／Ｆ３３２は、撮影によって得られたデジタル画像データを記憶するためのスマートメディア（商品名）３３８との間で各種データの授受を中継するためのものであり、スマートメディア３３８に対する各種データの書込みや、スマートメディア３３８に書き込まれている各種データの読み出しを制御する。
【００２８】
通信Ｉ／Ｆ３３０は、外部機器との間で各種データの授受を中継するためのものでる。
撮像を行わせる。
【００２９】
図２に示すように、デジタルカメラ１０は、略直方体のカメラ本体１２を備えている。
【００３０】
カメラ本体１２の上面部の右側（撮影者の右手側）には、レリーズスイッチ１４が押圧可能に設けられている。
【００３１】
また、カメラ本体１２の背面部（撮影者側）には、ファインダー１６、ユーザーが各種入力を行う操作ボタン１８、１９等が配置されている。さらに、ファインダー１６、操作ボタン１８、１９以外の背面部のほぼ全域を占める大型のディスプレイ２０が備えられている。また、図５に示すようにカメラ本体１２の正面にはレンズＬ（図４参照）が備えられている。
【００３２】
図２に示すように、操作ボタン１８、１９等の操作部３４（図４参照）は、ＣＰＵ２０（図４参照）に撮影モードの切換え等を行わせ、レリーズスイッチ１４は、ＣＰＵ２０（図４参照）にレリーズ信号を送って撮像系に撮像を行わせる。
【００３３】
ファインダー１６は、接眼により被写体Ａの状態を確認できるようになっており、ディスプレイ２０は、例えば液晶（ＬＣＤ）で構成され、撮影によって得られた被写体Ａの映像が表示されるようになっている。ディスプレイ２０は、ファインダー１６より表示領域が広いので、被写体Ａの構図の確認や、撮影済み被写体Ａの画像を確認する際に好適である。特に、本実施形態のように、大型のディスプレイ２０であれば見やすく使いやすい。
【００３４】
図５に示すように、ディスプレイ２０は、カメラ本体１２に備えられたスライド機構３０に取りつけられている。スライド機構３０は、ディスプレイ２０に取り付けられた断面がＴ字状の係合支柱３４とカメラ本体１２に形成されＳ方向（図３参照）に長い係合溝部３２とで構成されている。係合支柱３２は係合溝部３２に係合し、Ｓ方向に移動可能となっている。
【００３５】
したがって、図３に示すように、ディスプレイ２０は、カメラ本体１２に沿って矢印Ｓ方向に、一端側２０Ａがカメラ本体１２の外までスライドする。なお、スライド機構３０には図示しないクリック機構が備えられており、ディスプレイ２０が図２及び図３の状態で位置決めされると共にクリック感（操作感）が得られるようになっている。また、スライド機構３０には、図２及び図３の状態で固定するロック機構が備えられていても良い。
【００３６】
なお、このようにディスプレイ２０のみがカメラ本体１２に沿ってスライドするスライド機構３０は、特開２００３−１５８６４８号公報に記載のようなグリップ全体がスライドする機構と比較し簡単な機構で良く、また、簡単な機構のため信頼性も低下しない。
【００３７】
ディスプレイ２０の他端部２０Ｂには、パッド２４が備えられている。このパッド２４をＳ方向に押すことで、容易にディスプレイ２０がスライドする。（図１参照）。
【００３８】
図３に示すように、ディスプレイ２０がスライドして露出した部分（右側部分）のカメラ本体１２には、デジタルカメラ１０を手で持つ際に親指Ｔで把持できる指掛部２２が形成されている。なお、図１に示すように指掛部２２は、親指Ｔが自然に掛かる程度の大きさであって、皿状に窪んだ凹部２２Ａ（図３参照）が形成されており、把持しやすいようになっている。
【００３９】
ディスプレイ２０がスライドして指掛部２２が露出すると、指掛部２２の横（ディスプレイ２０側）にパッド２４が位置する。上述したパッド２４は、親指Ｔが自然に沿うようなＲ形状をし、指掛部２２を把持した際に親指Ｔが固定しやすいようになっている。
【００４０】
このように指掛部２２とパッド２４とを備えているので、図１に示すように、デジタルカメラ１０を手で持って撮影したり、ディスプレイ２０を見る際、親指Ｔで把持しやすく、デジタルカメラ１０をブレなく安定して持つことができる。
【００４１】
また、デジタルカメラ１０は、ディスプレイ２０のスライドに連動して電源がオンオフする。つまり、図２の状態では電源はオフしているが、ディスプレイ２０をスライドし、図３の状態とするとデジタルカメラ１０の電源がオンする。したがって、電源スイッチを別途カメラ本体１２に設ける必要が無いので、カメラ本体１２が小型化されている。また、電源オフし忘れることがなくなる。
【００４２】
次に、本実施形態のデジタルカメラ１０の作用について説明する。
【００４３】
撮影の為、或いは、撮影済みの画像を見る為、デジタルカメラ１０のディスプレイ２０を親指Ｔでパッド２４を矢印Ｓ方向に押し、図２の状態から図３の状態にディスプレイ２０をスライドさせる。ディスプレイ２０がスライドするとデジタルカメラ１０の電源が入ると共に、図３に示す指掛部２２が表れる。
【００４４】
図１に示すように、指掛部２２とパッド２４とが備えられているため、手で持って撮影したり、ディスプレイ２０を見る際、親指Ｔで把持しやすく、デジタルカメラ１０をブレなく安定して持つことができる。
【００４５】
このように、カメラ本体１２の背面部のファインダー１６、操作ボタン１８、１９等以外のほぼ全域を占める大型のディスプレイ２０が備えられていても、ディスプレイ２０がスライドし、指掛部２２が表れることで、ディスプレイ２０に指がかかることなく（図７参照）、デジタルカメラ１０をブレなく安定して持つことができる。また、カメラ本体を大型化して指掛部を設けるスペースを別途設ける必要もない。
【００４６】
したがって、大型のディスプレイ２０を備えてもカメラ本体１２が大型化することがない、小型のデジタルカメラ１０となっている。
【図面の簡単な説明】
【００４７】
【図１】本発明の一の実施形態に係るデジタルカメラを手で持っている状態を示す図である。
【図２】本発明の一の実施形態に係るデジタルカメラを示し、ディスプレイがスライドしていない状態の図である。
【図３】本発明の一の実施形態に係るデジタルカメラを示し、ディスプレイがスライドした状態の図である。
【図４】本発明の一の実施形態に係るデジタルカメラの概略構成図である。
【図５】本発明の一の実施形態に係るデジタルカメラの図２のＡ−Ａ断面を示す断面図である。
【図６】従来のデジタルカメラを手で持っている状態を示す図である。
【図７】従来の構成でディスプレイのみを大きくした場合のデジタルカメラを手で持った状態を示す図である。
【符号の説明】
【００４８】
１０      デジタルカメラ（カメラ）
１２      カメラ本体
２０      ディスプレイ
２２      指掛部
２２Ａ    凹部
２４      パッド（指止部材）
【図１】
2005134502.tif 000003
【図２】
2005134502.tif 000004
【図３】
2005134502.tif 000005
【図４】
2005134502.tif 000006
【図５】
2005134502.tif 000007
【図６】
2005134502.tif 000008
【図７】
2005134502.tif 000009